(57)【要約】【課題】解答用紙に対する採点を効果的に支援する技術を提供する。【解決手段】解答処理部６２は、解答済みの解答用紙の画像データを全員分取得し、全ての解答欄、氏名欄を画像データとして抽出し、関連づけてスキャンデータＤＢ６６記録する。集約出力部６３は、同じ解答欄だけが抽出され集約された解答集を生成し印刷出力する。採点処理部６４は、採点済みの採点用集約印刷出力を取得し、画像データとして抽出しに記録する。また、採点処理部６４は、画像データに追記されている○×等を識別することで得点を決定する。結果出力部６５は、指定を受けた解答者（印刷対象者）の画像データ及び合計点数を取得し、採点後の解答用紙として印刷出力する。【選択図】図８
2018037832.tif 000002
【特許請求の範囲】
【請求項１】
解答が記載された解答用紙を画像データとして取得し、前記解答用紙の解答欄の領域を特定し、前記解答欄の画像データを抽出し所定の記憶領域に保持する解答処理部と、
同一の設問に対する解答欄に関して、前記記憶領域に保持されている複数の解答者分の画像データを集約し配置し採点用印刷データを生成し出力する集約出力部と、
採点された前記採点用印刷データを画像データとして取得し所定の記憶領域に保持し、採点された前記採点用印刷データにおいて、追記された情報を抽出し、抽出した情報をもとに、前記解答欄に対する点数を決定し、解答者ごとに、前記解答用紙に含まれる全設問に対する前記解答欄の点数の合計点数を算出する採点処理部と、
解答者ごとに、全設問に対応する前記採点後の前記解答欄及び前記合計点数を集約し、前記解答者が解答した解答用紙を採点した状態として出力する結果出力部と、
を備えることを特徴とする画像形成装置。
【請求項２】
前記解答用紙の前記解答欄の領域を特定するための情報及び前記解答欄に設定される配点の情報を取得する解答用紙情報取得部を備え、
前記解答処理部は、前記解答用紙情報取得部が取得した情報をもとに、前記解答欄の領域を特定することを特徴とする請求項１に記載の画像形成装置。
【請求項３】
前記集約出力部は、前記採点用印刷データを生成する際に、一括採点用領域を含めて生成し、
前記採点処理部は、採点された前記採点用印刷データにおいて、追記されていない解答欄については、前記一括採点用領域に追記されているマークを合成し、採点後の解答欄の画像データとすることを特徴とする請求項１または２に記載の画像形成装置。
【請求項４】
前記集約出力部は、前記採点用印刷データを生成する際に、解答欄に含まれる文字情報をもとに、前記解答欄の画像データを集約する際の配置順を決定することを特徴とする請求項１から３までのいずれかに記載の画像形成装置。
【請求項５】
画像形成装置を用いた採点補助方法であって、
解答が記載された解答用紙を画像データとして取得し、前記解答用紙の解答欄の領域を特定し、前記解答欄の画像データを抽出し所定の記憶領域に保持する解答処理行程と、
同一の設問に対する解答欄に関して、前記記憶領域に保持されている複数の解答者分の画像データを集約し配置し採点用印刷データを生成し出力する集約出力行程と、
採点された前記採点用印刷データを画像データとして取得し所定の記憶領域に保持し、採点された前記採点用印刷データにおいて、追記された情報を抽出し、抽出した情報をもとに、前記解答欄に対する点数を決定し、解答者ごとに、前記解答用紙に含まれる全設問に対する前記解答欄の点数の合計点数を算出する採点処理行程と、
解答者ごとに、全設問に対応する前記採点後の前記解答欄及び前記合計点数を集約し、前記解答者が解答した解答用紙を採点した状態として出力する結果出力行程と、
を備えることを特徴とする採点補助方法。
【請求項６】
前記解答用紙の前記解答欄の領域を特定するための情報及び前記解答欄に設定される配点の情報を取得する解答用紙情報取得行程を備え、
前記解答処理行程は、前記解答用紙情報取得行程が取得した情報をもとに、前記解答欄の領域を特定することを特徴とする請求項５に記載の採点補助方法。
【請求項７】
前記集約出力行程は、前記採点用印刷データを生成する際に、補助採点用領域を含めて生成し、
前記採点処理行程は、採点された前記採点用印刷データにおいて、追記されていない解答欄については、前記補助採点用領域に追記されているマークを合成し、採点後の解答欄の画像データとすることを特徴とする請求項５または６に記載の採点補助方法。
【請求項８】
前記集約出力行程は、前記採点用印刷データを生成する際に、解答欄に含まれる文字情報をもとに、前記解答欄の画像データを集約する際の配置順を決定することを特徴とする請求項５から７までのいずれかに記載の採点補助方法。
【発明の詳細な説明】
【技術分野】
【０００１】
本発明は、画像形成装置及び採点補助方法に関する。
【背景技術】
【０００２】
手書きで作成された問題の解答用紙やアンケート回答用紙の確認を行うため、複合機（ＭＦＰ）等の画像形成装置を用いた技術がある（例えば、特許文献１参照）。特許文献１に開示の技術では、フォーマット情報を元に、複数の解答用紙の同一解答（領域）を集約印刷する。これによって採点者によるチェックを容易にしている。また、チェックの時の「○」「×」などの追加情報を、再度スキャンし、画像を差し替えることで、チェック済みの解答用紙を作成する技術についても開示されている。
【先行技術文献】
【特許文献】
【０００３】
【特許文献１】特開２０１３−２３２７１１号公報
【発明の概要】
【発明が解決しようとする課題】
【０００４】
ところで、特許文献１に開示の技術では、テストなどの問題の解答用紙の採点を行う場合、作成された「○」「×」のチェック済みの用紙を再度を確認し、確認した「○」「×」をもとにトータルの点数を人手で計算する必要があり、別の技術が求められていた。また、集約印刷された用紙の解答一つ一つについて、「○」「×」をチェックしなければ、元の解答用紙に差し替える際に結果が反映されなくなってしまうという課題もあった。
【０００５】
本発明はこのような状況に鑑みてなされたものであり、上記課題を解決できる技術を提供することを目的とする。
【課題を解決するための手段】
【０００６】
本発明の画像形成装置は、解答が記載された解答用紙を画像データとして取得し、前記解答用紙の解答欄の領域を特定し、前記解答欄の画像データを抽出し所定の記憶領域に保持する解答処理部と、同一の設問に対する解答欄に関して、前記記憶領域に保持されている複数の解答者分の画像データを集約し配置し採点用印刷データを生成し出力する集約出力部と、採点された前記採点用印刷データを画像データとして取得し所定の記憶領域に保持し、採点された前記採点用印刷データにおいて、追記された情報を抽出し、抽出した情報をもとに、前記解答欄に対する点数を決定し、解答者ごとに、前記解答用紙に含まれる全設問に対する前記解答欄の点数の合計点数を算出する採点処理部と、解答者ごとに、全設問に対応する前記採点後の前記解答欄及び前記合計点数を集約し、前記解答者が解答した解答用紙を採点した状態として出力する結果出力部と、を備える。
また、前記解答用紙の前記解答欄の領域を特定するための情報及び前記解答欄に設定される配点の情報を取得する解答用紙情報取得部を備え、前記解答処理部は、前記解答用紙情報取得部が取得した情報をもとに、前記解答欄の領域を特定してもよい。
また、前記集約出力部は、前記採点用印刷データを生成する際に、一括採点用領域を含めて生成し、前記採点処理部は、採点された前記採点用印刷データにおいて、追記されていない解答欄については、前記一括採点用領域に追記されているマークを合成し、採点後の解答欄の画像データとしてもよい。
また、前記集約出力部は、前記採点用印刷データを生成する際に、解答欄に含まれる文字情報をもとに、前記解答欄の画像データを集約する際の配置順を決定してもよい。
本発明の採点補助方法は、画像形成装置を用いた採点補助方法であって、解答が記載された解答用紙を画像データとして取得し、前記解答用紙の解答欄の領域を特定し、前記解答欄の画像データを抽出し所定の記憶領域に保持する解答処理行程と、同一の設問に対する解答欄に関して、前記記憶領域に保持されている複数の解答者分の画像データを集約し配置し採点用印刷データを生成し出力する集約出力行程と、採点された前記採点用印刷データを画像データとして取得し所定の記憶領域に保持し、採点された前記採点用印刷データにおいて、追記された情報を抽出し、抽出した情報をもとに、前記解答欄に対する点数を決定し、解答者ごとに、前記解答用紙に含まれる全設問に対する前記解答欄の点数の合計点数を算出する採点処理行程と、解答者ごとに、全設問に対応する前記採点後の前記解答欄及び前記合計点数を集約し、前記解答者が解答した解答用紙を採点した状態として出力する結果出力行程と、を備える。
また、前記解答用紙の前記解答欄の領域を特定するための情報及び前記解答欄に設定される配点の情報を取得する解答用紙情報取得行程を備え、前記解答処理行程は、前記解答用紙情報取得行程が取得した情報をもとに、前記解答欄の領域を特定してもよい。
また、前記集約出力行程は、前記採点用印刷データを生成する際に、補助採点用領域を含めて生成し、前記採点処理行程は、採点された前記採点用印刷データにおいて、追記されていない解答欄については、前記補助採点用領域に追記されているマークを合成し、採点後の解答欄の画像データとしてもよい。
また、前記集約出力行程は、前記採点用印刷データを生成する際に、解答欄に含まれる文字情報をもとに、前記解答欄の画像データを集約する際の配置順を決定してもよい。
【発明の効果】
【０００７】
本発明によると、解答用紙に対する採点を効果的に支援することができる技術を実現できる。
【図面の簡単な説明】
【０００８】
【図１】実施形態に係る、画像形成装置の概略構成を示す機能ブロック図である。
【図２】実施形態に係る、解答用紙の例を示している。
【図３】実施形態に係る、採点支援処理部が読み取るテンプレートスキャン用解答用紙の例を示した図である。
【図４】実施形態に係る、集約印刷テンプレートの例を示した図である。
【図５】実施形態に係る、採点用集約印刷出力の例を示した図である。
【図６】実施形態に係る、一括採点用の採点用集約印刷出力の例を示した図である。
【図７】実施形態に係る、採点後印刷用テンプレート及びそれに採点結果を反映させた最終出力結果の例を示した図である。
【図８】実施形態に係る、採点支援処理部の機能ブロック図である。
【図９】実施形態に係る、スキャンデータＤＢの機能構成を示すブロック図である。
【図１０】実施形態に係る、管理用ＤＢに備わるテーブルの例を示した図である。
【図１１】実施形態に係る、採点支援処理のフローチャートである。
【発明を実施するための形態】
【０００９】
以下、本発明を実施するための形態（以下、「実施形態」という）について図面を参照して説明する。本実施形態は、複合機（ＭＦＰ）等の画像形成装置に採点支援機能を搭載した技術を提案する。採点支援機能では、複数の解答者の解答用紙がスキャンされ、問題ごとに解答者全員分の解答領域（解答欄）を集約し集約印刷用紙として印刷出力される。採点者は、印刷出力された集約印刷用紙を採点する。採点者は、採点の際に、集約印刷用紙に「○」「×」や部分点（または減点）を記入したうえで、画像形成装置でスキャンし記録する。画像形成装置は、集約印刷用紙の「○」「×」等の所定のマークや部分点の認識を行い、最終的には全問題の集約印刷用紙のスキャン結果をもとに、各解答者の採点結果を解答用紙に反映させて出力する。
【００１０】
「○」「×」の情報の他に、採点の点数情報を付与することで採点を自動で行う採点支援機能を有する。また、この採点支援機能では、解答のスキャン時にＯＣＲで文字を認識させ、集約印刷時には解答をソートしてから印刷する。このような技術を採用することで、類似解答が並び、採点のしやすさを向上させる。また、採点は、同一問題に対する複数解答者分の解答の一括チェックも可能とし、採点の効率を向上させる。
【００１１】
図１は、画像形成装置１０の概略構成を示す機能ブロック図である。画像形成装置１０は、例えば、複合機（ＭＦＰ）であって、印刷機能、スキャン機能、ＦＡＸ機能等、複数の機能を備える。
【００１２】
具体的には、画像形成装置１０は、制御部２０と、通信処理部２２と、印刷実行処理部３１と、スキャン実行処理部３２と、ユーザーＩＦ４０と、記憶部５０と、採点支援処理部６０とを備える。
【００１３】
通信処理部２２は、有線ＬＡＮや無線ＬＡＮ、ＵＳＢ通信等の通信インターフェイスであり、ネットワークを介してＰＣ等のクライアント端末と通信可能に接続される。
【００１４】
制御部２０は、ＭＰＵ（Micro-Processing Unit）、ＲＯＭ（Read Only Memory）、ＲＡＭ（Random Access Memory）等を備え、各構成要素を統括的に制御することで、印刷出力処理や原稿等の読み取り処理、構成要素の動作のステータス監視処理、ユーザー管理、動作制御等を行う。
【００１５】
記憶部５０は、例えば、大容量のＨＤＤやＳＳＤ等の内蔵記憶装置であって、印刷実行処理部３１における印刷ジョブやスキャン実行処理部３２からの送信ジョブを、実行前に一旦蓄積する。蓄積されたデータは、特定期間保持される。
【００１６】
印刷実行処理部３１は、一般的な印刷実行機能を有し、制御部２０からの指示により印刷動作を実行する。スキャン実行処理部３２は、一般的な構成であって、スキャナー、プラテンガラス、原稿読取スリット等を備え、原稿の読み取り処理を実行する。
【００１７】
ユーザーＩＦ４０は、表示パネル部４１と、操作ボタン部４２を備える。表示パネル部４１は、画像形成装置１０に関するステータス情報や操作情報等を表示する。操作ボタン部４２は、画像形成装置１０に対するユーザー操作を受け付ける。なお、操作ボタン部４２は、表示パネル部４１と一体に構成されるタッチパネル式のＩＦや物理的ボタンのＩＦがあり、それらが組み合わさったインターフェイスであってもよい。
【００１８】
採点支援処理部６０は、本実施形態において特徴的な機能である、採点支援処理を他の構成と協働により、実行処理する。
【００１９】
ここで、採点支援処理の概要を図２〜６を参照して説明する。図２は解答用紙の例を示しており、図２（ａ）は未使用の解答用紙Ｐ０の例を示し、図２（ｂ）は解答済みの解答用紙Ｐ０＿０１の例を示している。
【００２０】
未使用の解答用紙Ｐ０では、用紙左側に上から順に、第１問題領域Ｑ１、第１解答領域Ａ１、第２問題領域Ｑ２、第２解答領域Ａ２、第３問題領域Ｑ３、第３解答領域Ａ３が設けられている。用紙右側には、採点結果欄Ｄ０、第４問題領域Ｑ４、第４解答領域Ａ４、第５問題領域Ｑ５、第５解答領域Ａ５、名前記入領域Ｅ０が設けられている。
【００２１】
解答済みの解答用紙Ｐ０＿０１では、この解答者は、自身の氏名として名前記入領域Ｅ０に「京都  太郎」を記入している。さらに、例えば、用紙左側の第１解答領域Ａ１に「アメリカ」、用紙右側の第５解答領域Ａ５に「新技術の導入」を記入している。解答済みの解答用紙Ｐ０＿０１については、採点対象の解答者全員分がスキャンされ画像データとして記録される。それぞれの画像データには、スキャンした順にＩＤ等のインデックスが付けられ記録される。
【００２２】
図３は、採点支援処理部６０が読み取るテンプレートスキャン用解答用紙Ｐ１の例を示している。テンプレートスキャン用解答用紙Ｐ１は、第１〜第５解答領域Ａ１〜Ａ５、採点結果欄Ｄ０、及び名前記入領域Ｅ０にマーキングが施されている。第１〜第５解答領域Ａ１〜Ａ５のマーキングされた第１〜第５解答抽出領域Ｂ１〜Ｂ５の位置情報が記録される。ここで位置情報は、用紙の所定箇所、例えば左角を基準として表される。第１〜第５解答抽出領域Ｂ１〜Ｂ５が長方形であれば、位置情報は対角の２点の座標となる。同様に、採点結果欄Ｄ０のマーキングされた採点結果記入領域Ｄ１の位置情報、名前記入領域Ｅ０のマーキングされた名前記入抽出領域Ｅ１の位置情報が記録される。
【００２３】
図２に示した解答者の解答用紙Ｐ０＿０１がスキャンされる際に、上記の位置情報にもとづいて、各問に対する解答欄及び解答者の名前欄が、画像データとして取得される。ここで、例えば、第１〜第５解答抽出領域Ｂ１〜Ｂ５を赤色で、採点結果記入領域Ｄ１を青色で、名前記入抽出領域Ｅ１を緑色でマーキングし、領域の特性すなわち解答欄であるか名前欄であるか等に応じて色を変えることで、スキャン後の認識処理においてマーキングした領域がどのような特性の領域であるかを判別することができる。また、結果を表示パネル部４１等に表示し、利用者から領域の修正を受け付けてもよい。
【００２４】
第１〜第５解答抽出領域Ｂ１〜Ｂ５の内部には、それぞれの問題に設定されている配点Ｃ１〜Ｃ５が記入される。ここでは、例えば、第２解答抽出領域Ｂ２の配点Ｃ２には１０点、第４解答領域Ａ４の配点Ｃ４には３０点が設定されていることが分かる。採点支援処理部６０は、ＯＣＲ処理により、配点Ｃ１〜Ｃ５の数字を抽出し、各領域（第１〜第５解答抽出領域Ｂ１〜Ｂ５）に関連づけて記録する。
【００２５】
図４は、集約印刷テンプレートＦＴ１の例を示している。この集約印刷テンプレートＦＴ１は、問題ごとに設けられて、採点支援処理部６０に記録される。ここで示す集約印刷テンプレートＦＴ１は、問１に対する答１の解答領域、すなわち第１解答領域Ａ１の第１解答抽出領域Ｂ１を所定数集約して嵌め込み可能な集約領域を有している。ここでは、集約領域として、最大１４人の解答者分として、第１〜第１４集約領域ＦＴ１＿０１〜ＦＴ１＿１４が設けられている。
【００２６】
図５は採点用集約印刷出力（解答集）の例を示し、図５（ａ）は出力直後の採点前の状態の採点用集約印刷出力ＦＴ２を示し、図５（ｂ）は採点後の状態の採点用集約印刷出力ＦＴ２Ａを示している。
【００２７】
図５（ａ）に示すように、採点の為に集約印刷する際に、第１〜第１４集約領域ＦＴ１＿０１〜ＦＴ１＿１４に、スキャンされ記録されている解答者１４人分の画像データである第１解答抽出領域Ｂ１（第１解答抽出領域Ｂ１＿０１〜Ｂ１＿１４）が嵌め込まれ印刷出力される。どの領域にどの解答者の画像データを嵌め込んだかは、後述する所定の管理テーブルで管理してもよいし、嵌め込んだ画像データの横に、データベースに取り込んだ際につけたインデックスを付与してもよい。
【００２８】
図５（ｂ）に示すように、採点済みの採点用集約印刷出力ＦＴ２Ａでは、例えば、解答欄に「アメリカ」と記載されている第１解答抽出領域Ｂ１＿０１〜Ｂ１＿０５、Ｂ１＿０７〜Ｂ１＿１０、Ｂ１＿１２〜Ｂ１＿１４には、正解を示す「○」が採点者により記入されている。また、解答欄に「日本」と記載されている第１解答抽出領域Ｂ１＿０６や、無記入となっている第１解答抽出領域Ｂ１＿１１には、不正解を示す「×」が採点者により記入されている。
【００２９】
採点済みの採点用集約印刷出力ＦＴ２Ａがスキャンされ、各第１解答抽出領域Ｂ１＿０１〜Ｂ１＿１４が画像データとして抽出され記録される。また、採点支援処理部６０は、ＯＣＲ処理により採点結果の認識処理を行い、「○」、「×」または部分点がある場合はその点数を特定し、ＩＤ等のインデックスと関連づけて記録する。全問題の採点用集約印刷出力がスキャンされた後、各解答者ごとに採点結果（合計点数）が集計され、その結果が反映された採点後印刷出力が行われる。
【００３０】
図６は、図５の変形例の採点用集約印刷出力ＦＴ３、ＦＴ３Ａであって、一括採点用（補助採点用）の集約印刷の例を示している。図６（ａ）は出力直後の採点前の状態の採点用集約印刷出力ＦＴ３を示し、図６（ｂ）は採点後の状態の採点用集約印刷出力ＦＴ３Ａを示している。
【００３１】
図６（ａ）に示すように、ページの最初の領域は、空白領域となっている一括採点用スペースＦ１＿００が設けられている。一括採点用スペースＦ１＿００は、他の解答欄と同じ形状である。また、解答欄（第１解答抽出領域Ｂ１＿０１〜Ｂ１＿１４）が嵌め込まれる際に、所定のソートがなされている。ここでは、文字数を基準にソートされており、解答欄に「アメリカ」が記入されている画像データが上に、「日本」が記入されている画像データがその次に、無記入の画像データが最後に配置されている。すなわち、ソートを行うことで、正答の解答が一群となって配置されるため、採点が容易になる。
【００３２】
図６（ｂ）では、採点者は、一括採点用スペースＦ１＿００に「○」もしくは「×」を記載する。ここでは、一括採点用スペースＦ１＿００に「○」が記載されている。例えば、採点者が一括採点用スペースＦ１＿００に「○」を記入した場合、実際の採点の際には、誤答の解答欄に「×」を記入し、正答の解答欄には「○」を記入しない。すなわち、一括採点用スペースＦ１＿００に記入された「○」については、採点の記入が省略される。
【００３３】
採点支援処理部６０は、採点後の採点用集約印刷出力ＦＴ３Ａをスキャンすると、「×」が記入されていない解答欄、つまり「○」が省略されている解答欄については、一括採点用スペースＦ１＿００の画像データと解答欄の画像データとを合成し、各第１解答抽出領域Ｂ１＿０１〜Ｂ１＿１４が画像データとして抽出し記録する。尚、合成のタイミングは、各第１解答抽出領域Ｂ１＿０１〜Ｂ１＿１４の抽出前でも後でもよい。
【００３４】
図７は採点後印刷用テンプレートＦＴ４及びそれに採点結果を反映させた最終出力結果Ｐ３の例である。図７（ａ）に示す採点後印刷用テンプレートＦＴ４は、各解答者ごとに採点後の印刷出力をする際に、採点後の解答欄の画像データを貼り付ける際に用いられる。この採点後印刷用テンプレートＦＴ４は、上述のマーキングされたテンプレートスキャン用解答用紙Ｐ１がスキャンされるときに、同じタイミングで形成される。すなわち、テンプレートスキャン用解答用紙Ｐ１から、マーキングされた第１〜第５解答抽出領域Ｂ１〜Ｂ５及び名前記入抽出領域Ｅ１を除いた画像データが採点後印刷用テンプレートＦＴ４として記録される。
【００３５】
また、図７（ｂ）に示すように、最終出力結果Ｐ３では、採点後の出力処理の際に、採点後の各解答領域画像データ、氏名の画像データが採点後印刷用テンプレートＦＴ４に嵌め込まれ、さらに、採点結果（合計点数）が書き込まれ、最終出力結果Ｐ３として出力される。ここで示す最終出力結果Ｐ３は、図３に示したスキャンされた解答済みの解答用紙Ｐ０＿０１に、「○」、「×」、部分点及び合計点が追記された状態である。
【００３６】
つぎに、上記の各処理を実現するための採点支援処理部６０の具体的構成及びより詳細な処理について説明する。
【００３７】
図８は、採点支援処理部６０の機能ブロック図である。採点支援処理部６０は、フォーマット処理部６１と、解答処理部６２と、集約出力部６３と、採点処理部６４と、結果出力部６５と、テンプレートＤＢ６６と、スキャンデータＤＢ６７と、管理用ＤＢ６８と、を備える。
【００３８】
ここで、フォーマット処理部６１と、解答処理部６２と、集約出力部６３と、採点処理部６４の機能は、専用のＭＰＵ等により実現されてもよいし、制御部２０により実現されてもよい。テンプレートＤＢ６６と、スキャンデータＤＢ６７と、解答者管理ＤＢ６８とは、専用の記憶領域が設けられてもよいし、記憶部５０の一部が用いられてもよい。
【００３９】
フォーマット処理部６１は、採点支援処理において用いるフォーマット（テンプレート）を作成する。ここでは、フォーマット処理部６１は、図４で示した集約印刷テンプレートＦＴ１、図７で示した採点後印刷用テンプレートＦＴ４、を作成する。
【００４０】
具体的には、フォーマット処理部６１は、未使用の解答用紙にマーキングが施された用紙（テンプレートスキャン用解答用紙Ｐ１）をスキャン実行処理部３２で読み取り、全ての解答領域（第１〜第５解答抽出領域Ｂ１〜Ｂ５）、名前記入抽出領域Ｅ１、採点結果記入領域Ｄ１の位置情報を特定しテンプレートＤＢ６６に保存する。全ての解答領域とは、問題が５問あれば、５問全ての解答領域という意味である。
【００４１】
また、図７で説明したように、採点後には、全ての解答領域をユーザの解答用紙に貼り付けて出力処理が行われるが、フォーマット処理部６１は、その際のベース用紙となる採点後印刷用テンプレートＦＴ４を作成しテンプレートＤＢ６６に記録する。
【００４２】
解答処理部６２は、スキャン実行処理部３２を用いて、ユーザーが解答した解答用紙Ｐ０＿０１をスキャンし、第１〜第５解答抽出領域Ｂ１〜Ｂ５、及び名前記入抽出領域Ｅ１を画像データとして抽出し、それらを関連づけて、すなわち、どのユーザーのデータであるかを示すインデックス（ＩＤ等）とともに、スキャンデータＤＢ６６に記録する。
【００４３】
例えば、解答者が１４人いれば、１４枚の解答用紙がスキャンされ、画像データが記録される。解答処理部６２は、抽出した解答領域をＯＣＲ処理し、文字情報を抽出し、インデックスや抽出した画像データと関連づけて記録する。関連づけの情報は、所定の管理テーブルとして管理用ＤＢ６８に記録される。管理テーブルの詳細は図１０で後述する。
【００４４】
集約出力部６３は、問題ごとに全ユーザー分の解答領域（画像データ）をスキャンデータＤＢ６７（後述の採点前データ部７０）から取り出し集約印刷テンプレートＦＴ１に集約して印刷出力する。例えば、解答者が１４人いれば、同じ問題の１４人分の解答データが集約される。採点者は、印刷出力された集約印刷用紙を採点する。
【００４５】
なお、印刷出力せずに電子データとして出力し、タブレット端末等で採点作業がなされてもよい。また、集約処理では、解答処理部６２でのＯＣＲ処理に基づいて、集約順を所望にソートしてもよい。例えば、ＯＣＲ処理で抽出した文字情報の数（すなわち字数）の多い順や、指定の文言が含まれているか否かの順がある。また、ソート基準は、採点済みの採点用集約印刷出力ＦＴ２Ａをスキャンし画像データを抽出する際に、ＩＤとの関連づけに用いられる。
【００４６】
なお、採点用集約印刷出力ＦＴ２を出力する際に、ソート基準の情報を盛り込んでもよい。採点済みの採点用集約印刷出力ＦＴ２Ａをスキャンする際にそのソート基準の情報を取得しＩＤとの関連づけに用いることもできる。出力される採点用集約印刷出力ＦＴ２は、同一の問題に対する解答群であるので、正答は連続した一群で印刷される。
【００４７】
採点処理部６４は、スキャン実行処理部３２を用いて、図５（ｂ）に示したような採点後の状態の採点用集約印刷出力ＦＴ２Ａをスキャンする。さらに、採点後の各解答領域（図５（ｂ）では第１解答抽出領域Ｂ１＿０１〜Ｂ１＿１４）を抽出し、ＩＤと関連づけてスキャンデータＤＢ６７（具体的には、後述の採点後データ部８０）に保存する。
【００４８】
また、採点処理部６４は、抽出した解答領域をＯＣＲ処理し、採点結果を抽出する。具体的には、採点前の画像データと採点後の画像データとの差分から採点者が追記した「○」「×」や部分点（減点）をＯＣＲ処理により抽出し、追記部分を文字情報として取得し、更にＩＤや画像データに関連づけて記録する。なお、図６に示した一括採点用の集約印刷を利用した場合であって一括採点用スペースＦ１＿００に「○」もしくは「×」がある場合、個別の解答欄に採点結果にチェックが無いものは、この一括採点の採点がなされたものとして採点を反映し、解答の画像データに一括採点用スペースＦ１＿００のマークを合成してから画像データを更新する。
【００４９】
結果出力部６５は、解答者ごとに、スキャンデータＤＢ６７や管理用ＤＢ６８に記録データから、採点後の解答領域、氏名の画像データ、及び合計点数を取得し、それらを図７（ａ）の採点後印刷用テンプレートＦＴ４に反映させ、図７（ｂ）に示すような最終出力結果Ｐ３を作成し出力する。
【００５０】
テンプレートＤＢ６６は、フォーマット処理部６１によって作成された集約印刷テンプレートＦＴ１や採点後印刷用テンプレートＦＴ４を記録する。また、採点の対象となる第１〜第５解答抽出領域Ｂ１〜Ｂ５や採点結果記入領域Ｄ１、名前記入抽出領域Ｅ１のそれぞれの位置情報、各設問に設定される配点等を記録する。
【００５１】
図９は、スキャンデータＤＢ６７の構成を示す機能ブロック図である。スキャンデータＤＢ６７は、採点前の解答用紙の抽出データを記録する採点前データ部７０と、採点後の集約用紙の抽出データを記録する採点後データ部８０とを備える。
【００５２】
図示のように、スキャンデータＤＢ６７の採点前データ部７０は、第１解答データ部７１〜第５解答データ部７５と、名前データ部７６とを備える。
【００５３】
第１解答データ部７１は、ユーザーが解答した解答用紙のスキャン結果のうち第１解答抽出領域Ｂ１を所定形式の画像データ（例えば、ＪＰＥＧ形式画像）として記録する。同様に、第２解答データ部７２〜第５解答データ部７５は、ユーザーが解答した解答用紙のスキャン結果のうち、それぞれ第２解答抽出領域Ｂ２〜第５解答抽出領域Ｂ５を所定形式の画像データとして記録する。名前データ部７６は、ユーザーが解答した解答用紙のスキャン結果のうち名前記入抽出領域Ｅ１を画像データとして記憶する。すべての解答済み答案のスキャンが完了すると、それぞれの答えの画像データだけが抽出されたデータベース（第１解答データ部７１〜第５解答データ部７５）が作成される。
【００５４】
採点後データ部８０は、第１解答データ部８１〜第５解答データ部８５を備える。第１解答データ部８１は、答１についての集約印刷用紙の採点後のスキャンデータを、解答者ごとの領域に抽出した所定形式の画像データを記録する。第２解答データ部８２〜第５解答データ部８５は、同様に答２〜答５についてのそれぞれの集約印刷用紙の採点後のスキャンデータを、解答者ごとの領域に抽出した画像データを記録する。
【００５５】
図８の説明に戻る。管理用ＤＢ６８は、スキャンした解答用紙、スキャンした採点後の採点用集約印刷出力ＦＴ２Ａ、ＦＴ３Ａ及び採点結果を管理する所定のテーブルを保持する。ここでは、スキャンした画像データを管理するための画像管理テーブルと、採点結果を集計し管理するための採点結果テーブルとを備える。
【００５６】
図１０は管理用ＤＢ６８に備わるテーブルの例を示す図である。具体的には、図１０（ａ）は画像管理テーブルの例を示し、図１０（ｂ）は採点結果テーブルの例を示す。なお、画像管理テーブルと採点結果テーブルは、一つのテーブルとして設けられてもよい。
【００５７】
画像管理テーブルは、解答処理部６２による解答用紙Ｐ０＿０１のスキャン結果を管理するテーブルとして用いられる。具体的には、スキャンした解答用紙Ｐ０＿０１それぞれに割り振られたＩＤ、名前記入抽出領域Ｅ１の画像データのファイル名及びそのＯＣＲ結果、第１〜第５解答抽出領域Ｂ１〜Ｂ５の画像データのファイル名及びそのＯＣＲ結果が関連づけられて記録される。例えば、図示のように、ＩＤ「０２」の解答者の氏名については、画像データ「Ｅ１＿０１．ｊｐｇ」であり、そのＯＣＲ処理結果は「大阪  一郎」である。また、答１の解答（第１解答抽出領域Ｂ１）の画像データは「Ｂ１＿０１．ｊｐｇ」であり、そのＯＣＲ処理結果は「アメリカ」である。
【００５８】
採点結果テーブルは、スキャン実行処理部３２による採点後の採点用集約印刷出力ＦＴ２Ａのスキャン結果を管理するテーブルとして用いられる。具体的には、ＩＤ、合計点数、採点後の第１〜第５解答抽出領域Ｂ１〜Ｂ５の画像データのファイル名及びその採点結果が関連づけられて記録される。具体的には、例えば、ＩＤ「０２」の解答者の
答１の解答（第１解答抽出領域Ｂ１）の採点後の画像データは「Ｂ１＿０１ａ．ｊｐｇ」であり、その点数は「１０」点である。また、採点後の第１〜第５解答抽出領域Ｂ１〜Ｂ５の各点数の合計は、「１００」点である。
【００５９】
図１１は採点支援処理のフローチャートである。このフローチャートを参照して、採点支援処理のフローを説明する。
【００６０】
採点支援処理は、大きく分けて、テンプレート準備・解答スキャン処理（Ｓ１０）、集約印刷処理（Ｓ２０）、採点処理（Ｓ３０）、結果出力処理（Ｓ４０）の順に行われる。各処理は、例えば、所定のメニュー画面から選択する。
【００６１】
テンプレート準備・解答スキャン処理（Ｓ１０）では、この機能を用いる採点者等は、未使用の解答用紙Ｐ０を準備し（Ｓ１０１）、スキャン対応領域をマーキングし（Ｓ１０２）、さらに解答欄に配点を記入する（Ｓ１０３）。これらによって、図３に示したようなテンプレートスキャン用解答用紙Ｐ１の準備が完了する。
【００６２】
つぎに、採点者等は、マーキング等されたテンプレートスキャン用解答用紙Ｐ１をスキャンし（Ｓ１０４）、テンプレート登録処理を行う（Ｓ１０５）。すなわち、フォーマット処理部６１は、スキャンしたテンプレートスキャン用解答用紙Ｐ１からマーキングされている領域の位置情報や配点を特定し、その結果をテンプレートＤＢ６６に記録する。
【００６３】
つづいて、フォーマット処理部６１は、スキャンしたテンプレートスキャン用解答用紙Ｐ１を用いてフォーマット登録処理を実行する（Ｓ１０６）。すなわち、図４の集約印刷テンプレートＦＴ１や図７（ａ）の採点後印刷用テンプレートＦＴ４を作成しテンプレートＤＢ６６に記録する。
【００６４】
フォーマット等の準備が完了したら、図２（ｂ）に示した解答済みの解答用紙Ｐ０＿０１を解答者全員分のスキャンが実行される（Ｓ１０７）。解答処理部６２は、第１〜第５解答抽出領域Ｂ１〜Ｂ５、及び名前記入抽出領域Ｅ１を画像データとして抽出し、それらを関連づけて、スキャンデータＤＢ６６（の採点前データ部７０）に記録する。
【００６５】
つづいて、集約印刷処理（Ｓ２０）について説明する。集約出力部６３は、採点者等から集約印刷の対象となる解答集の選択を受け付ける（Ｓ２０１）。このとき、ソートの指定も併せて受け付ける（Ｓ２０２）。
【００６６】
上記指定が完了すると、集約出力部６３は、先に作成した解答の集約印刷テンプレートＦＴ１に従って、同じ解答欄だけが抽出され集約された解答集（図５（ａ）のような採点用集約印刷出力ＦＴ２）を生成し（Ｓ２０３）、印刷出力する（Ｓ２０４）。
【００６７】
採点処理（Ｓ３０）では、まず、採点者が、印刷された解答集（採点用集約印刷出力ＦＴ２）の採点を行い、図５（ｂ）に示すような採点済みの解答集（採点用集約印刷出力ＦＴ２Ａ）を得る（Ｓ３０１）。つづいて、採点処理部６４は、採点済みの採点用集約印刷出力ＦＴ２Ａをスキャンする（Ｓ３０２）。
【００６８】
採点処理部６４は、スキャンした採点用集約印刷出力ＦＴ２Ａから、採点後の解答抽出領域を画像データとして抽出し、ＩＤと関連づけた上で採点後データ部８０に記録する（Ｓ３０３）。さらに、採点処理部６４は、画像データに追記されている○×等を識別することで採点結果を取得し（Ｓ３０４）、その採点結果をＩＤ等と関連づけて採点結果テーブルに反映させる（Ｓ３０５）。
【００６９】
全てのスキャンが完了した後、採点後印刷用テンプレートに基づいて、採点済みの解答用紙を印刷する結果出力処理が行われる（Ｓ４０）。結果出力部６５は、採点者等の利用者から、印刷対象者のＩＤの指定を受け付ける（Ｓ４０１）。ＩＤの指定は、単一でもよいし、複数でもよい。
【００７０】
結果出力部６５は、指定を受けたＩＤの解答者（印刷対象者）の画像データを採点後データ部８０（第１解答データ部８１〜第５解答データ部８５）から抽出し、また、氏名の画像データを名前データ部７６から抽出し、採点後印刷用テンプレートＦＴ４に嵌め込む（Ｓ４０２）。さらに、結果出力部６５は、管理用ＤＢ６８の採点結果テーブルを参照し、対象者の合計点数を所定領域（採点結果記入領域Ｄ１）に書き込み（Ｓ４０３）、その結果を図７に示したように印刷出力する（Ｓ４０４）。指定されたＩＤが複数であれば、すべてのＩＤに対応する印刷出力が行われる。
【００７１】
以上、本実施形態によると、同一問題の解答のみが並べられた用紙を用いて採点することができるため、採点が容易になる。また、ＯＣＲにより類似解答が連続して印刷され、また、採点者にとって解答者が誰であるかも分からない状態で採点するため、同一解答に対し一貫した基準での採点が行いやすくなる。また、一括採点欄を使用した場合、同一解答の一つ一つに採点を行う必要が無く、採点の工数を削減することができる。また、採点結果のデータベースも同時に作成されるため、結果の管理も容易になる。
【００７２】
以上、本発明を実施形態をもとに説明した。この実施形態は例示であり、それらの各構成要素の組み合わせにいろいろな変形例が可能なこと、またそうした変形例も本発明の範囲にあることは当業者に理解されるところである。
【符号の説明】
【００７３】
１０  画像形成装置
２０  制御部
２２  通信処理部
３１  印刷実行処理部
３２  スキャン実行処理部
４０  ユーザーＩＦ
４１  表示パネル部
４２  操作ボタン部
５０  記憶部
６０  採点支援処理部
６１  フォーマット処理部
６２  解答処理部
６３  集約出力部
６４  採点処理部
６５  結果出力部
６６  テンプレートＤＢ
６７  スキャンデータＤＢ
６８  管理用ＤＢ
７０  採点前データ部
７１〜７５  第１〜第５解答データ部
７６  名前データ部
８０  採点後データ部
８１〜８５  第１〜第５解答データ部
【図１】
2018037832.tif 000003
【図２】
2018037832.tif 000004
【図３】
2018037832.tif 000005
【図４】
2018037832.tif 000006
【図５】
2018037832.tif 000007
【図６】
2018037832.tif 000008
【図７】
2018037832.tif 000009
【図８】
2018037832.tif 000010
【図９】
2018037832.tif 000011
【図１０】
2018037832.tif 000012
【図１１】
2018037832.tif 000013